【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
深度マップへのアクセスが許可されることに基づいて、複数の視差動きベクトルに対して中央値フィルタリングプロセスを使わずに、前記ビデオデータの現在のブロックについてのマクロブロックレベルの視差ベクトルを判断することと、前記現在のブロックは、マクロブロックであり、前記現在のブロックは、Ｐ−Ｓｋｉｐモード、Ｂ＿Ｓｋｉｐモード、またはＢ−１６×１６ダイレクトモードのいずれかを使ってコーディングされるか、または、前記現在のブロックは、８×８ブロックであり、前記現在のブロックは、Ｂ−８×８ダイレクトモードを使ってコーディングされ、前記現在のブロックについての前記視差ベクトルを判断することは、前記現在のブロックについての前記視差ベクトルを判断するために隣接ブロックベースの視差ベクトル（ＮＢＤＶ）洗練（ＮＢＤＶ−Ｒ）プロセスを実施することを備え、
前記ＮＢＤＶ−Ｒプロセスは、前記現在のブロックについての前記視差ベクトルを判断するためにＮＢＤＶ導出プロセスを実施することと、前記現在のブロックについての前記視差ベクトルを、前記深度マップ中の対応する深度ブロックにアクセスすることによって洗練することとを備え、前記ＮＢＤＶ導出プロセスは、視差動きベクトルについての隣接ブロックを検査することと、前記視差動きベクトルを、前記現在のブロックについての前記視差ベクトルにコンバートすることとを備え、前記視差動きベクトルは、ビュー間参照ピクチャをポイントする動きベクトルである、
参照ビュー中の参照ブロックを判断するのに、前記現在のブロックについての前記視差ベクトルを使うことと、
前記参照ブロックに基づいて、前記現在のブロックについてのピクセル値を判断することと
を備える方法。
【請求項２】
前記現在のブロックは第１のブロックであり、前記方法は、
前記深度マップへのアクセスが許可されないことに基づいて、第２のブロックについての視差ベクトルを、ＮＢＤＶプロセスによって判断された視差ベクトルに設定することをさらに備える、請求項１に記載の方法。
【請求項３】
前記ＮＢＤＶ導出プロセスを実施することは、視差動きベクトルについての１つまたは複数の空間的隣接ブロックを検査し、次いで、視差動きベクトルについての１つまたは複数の時間的隣接ブロックを検査することを備える、請求項１に記載の方法。
【請求項４】
ビデオデータを符号化する方法であって、
深度マップへのアクセスが許可されることに基づいて、複数の視差動きベクトルに対して中央値フィルタリングプロセスを使わずに、前記ビデオデータの現在のブロックについてのマクロブロックレベルの視差ベクトルを判断することと、前記現在のブロックは、マクロブロックであり、前記現在のブロックは、Ｐ−Ｓｋｉｐモード、Ｂ−Ｓｋｉｐモード、またはＢ−１６×１６ダイレクトモードのいずれかを使ってコーディングされるか、または、前記現在のブロックは、８×８ブロックであり、前記現在のブロックは、Ｂ−８×８ダイレクトモードを使ってコーディングされ、前記現在のブロックについての前記視差ベクトルを判断することは、前記現在のブロックについての前記視差ベクトルを判断するために隣接ブロックベースの視差ベクトル（ＮＢＤＶ）洗練（ＮＢＤＶ−Ｒ）プロセスを実施することを備え、
前記ＮＢＤＶ−Ｒプロセスは、前記現在のブロックについての前記視差ベクトルを判断するためにＮＢＤＶ導出プロセスを実施することと、前記現在のブロックについての前記視差ベクトルを、前記深度マップ中の対応する深度ブロックにアクセスすることによって洗練することとを備え、前記ＮＢＤＶ導出プロセスは、視差動きベクトルについての隣接ブロックを検査することと、前記視差動きベクトルを、前記現在のブロックについての前記視差ベクトルにコンバートすることとを備え、前記視差動きベクトルは、ビュー間参照ピクチャをポイントする動きベクトルである、
参照ビュー中の参照ブロックを判断するために前記現在のブロックについての前記視差ベクトルを使うことと、
前記現在のブロックの符号化バージョンを生成するために、前記参照ブロックを使うことと
を備える方法。
【請求項５】
前記現在のブロックは第１のブロックであり、前記方法は、
前記深度マップへのアクセスが許可されないことに基づいて、第２のブロックについての視差ベクトルを、ＮＢＤＶプロセスによって判断された視差ベクトルに設定することをさらに備える、請求項４に記載の方法。
【請求項６】
前記ＮＢＤＶ導出プロセスを実施することは、視差動きベクトルについての１つまたは複数の空間的隣接ブロックを検査し、次いで、視差動きベクトルについての１つまたは複数の時間的隣接ブロックを検査することを備える、請求項４に記載の方法。
【請求項７】
ビデオデータを符号化するためのデバイスであって、
前記ビデオデータの復号ビデオブロックを記憶するように構成されたメモリと、
１つまたは複数のプロセッサとを備え、前記１つまたは複数のプロセッサは、
深度マップへのアクセスが許可されることに基づいて、複数の視差動きベクトルに対して中央値フィルタリングプロセスを使わずに、前記ビデオデータの現在のブロックについてのマクロブロックレベルの視差ベクトルを判断し、前記現在のブロックは、マクロブロックであり、前記現在のブロックは、Ｐ−Ｓｋｉｐモード、Ｂ−Ｓｋｉｐモード、またはＢ−１６×１６ダイレクトモードのいずれかを使ってコーディングされるか、または、前記現在のブロックは、８×８ブロックであり、前記現在のブロックは、Ｂ−８×８ダイレクトモードを使ってコーディングされ、ここにおいて、前記現在のブロックについての前記視差ベクトルを判断するために、前記１つまたは複数のプロセッサは、前記現在のブロックについての前記視差ベクトルを判断するために隣接ブロックベースの視差ベクトル（ＮＢＤＶ）洗練（ＮＢＤＶ−Ｒ）プロセスを実施し、
前記ＮＢＤＶ−Ｒプロセスは、前記現在のブロックについての前記視差ベクトルを判断するためにＮＢＤＶ導出プロセスを実施することと、前記現在のブロックについての前記視差ベクトルを、前記深度マップ中の対応する深度ブロックにアクセスすることによって洗練することとを備え、前記ＮＢＤＶ導出プロセスは、視差動きベクトルについての隣接ブロックを検査することと、前記視差動きベクトルを、前記現在のブロックについての前記視差ベクトルにコンバートすることとを備え、前記視差動きベクトルは、ビュー間参照ピクチャをポイントする動きベクトルである、
参照ビュー中の参照ブロックを判断するために、前記現在のブロックについての前記視差ベクトルを使い、
前記現在のブロックの符号化バージョンを生成するために、前記参照ブロックを使う、ように構成される、
デバイス。
【請求項８】
ビデオデータを復号するためのデバイスであって、
前記ビデオデータの復号ビデオブロックを記憶するように構成されたメモリと、
１つまたは複数のプロセッサとを備え、前記１つまたは複数のプロセッサは、
深度マップへのアクセスが許可されることに基づいて、複数の視差動きベクトルに対して中央値フィルタリングプロセスを使わずに、前記ビデオデータの現在のブロックについてのマクロブロックレベルの視差ベクトルを判断し、前記現在のブロックは、マクロブロックであり、前記現在のブロックは、Ｐ−Ｓｋｉｐモード、Ｂ−Ｓｋｉｐモード、またはＢ−１６×１６ダイレクトモードのいずれかを使ってコーディングされるか、または、前記現在のブロックは、８×８ブロックであり、前記現在のブロックは、Ｂ−８×８ダイレクトモードを使ってコーディングされ、ここにおいて、前記現在のブロックについての前記視差ベクトルを判断するために、前記１つまたは複数のプロセッサは、前記現在のブロックについての前記視差ベクトルを判断するために隣接ブロックベースの視差ベクトル（ＮＢＤＶ）洗練（ＮＢＤＶ−Ｒ）プロセスを実施し、
前記ＮＢＤＶ−Ｒプロセスは、前記現在のブロックについての前記視差ベクトルを判断するためにＮＢＤＶ導出プロセスを実施することと、前記現在のブロックについての前記視差ベクトルを、前記深度マップ中の対応する深度ブロックにアクセスすることによって洗練することとを備え、前記ＮＢＤＶ導出プロセスは、視差動きベクトルについての隣接ブロックを検査することと、前記視差動きベクトルを、前記現在のブロックについての前記視差ベクトルにコンバートすることとを備え、前記視差動きベクトルは、ビュー間参照ピクチャをポイントする動きベクトルである、
参照ビュー中の参照ブロックを判断するために、前記現在のブロックについての前記視差ベクトルを使い、
前記参照ブロックに基づいて、前記現在のブロックについてのピクセル値を判断する、ように構成される、
デバイス。
【請求項９】
前記現在のブロックは第１のブロックであり、前記１つまたは複数のプロセッサは、
前記深度マップへのアクセスが許可されないことに基づいて、第２のブロックについての視差ベクトルを、ＮＢＤＶプロセスによって判断された視差ベクトルに設定するように構成される、請求項７または８に記載のデバイス。
【請求項１０】
前記ＮＢＤＶ導出プロセスを実施することの一部として、前記１つまたは複数のプロセッサは、視差動きベクトルについての１つまたは複数の空間的隣接ブロックを検査し、次いで、視差動きベクトルについての１つまたは複数の時間的隣接ブロックを検査する、請求項７または８に記載のデバイス。
【請求項１１】
ビデオデータを符号化するためのデバイスであって、
深度マップへのアクセスが許可されることに基づいて、複数の視差動きベクトルに対して中央値フィルタリングプロセスを使わずに、前記ビデオデータの現在のブロックについてのマクロブロックレベルの視差ベクトルを判断するための手段と、前記現在のブロックは、マクロブロックであり、前記現在のブロックは、Ｐ−Ｓｋｉｐモード、Ｂ−Ｓｋｉｐモード、またはＢ−１６×１６ダイレクトモードのいずれかを使ってコーディングされるか、または、前記現在のブロックは、８×８ブロックであり、前記現在のブロックは、Ｂ−８×８ダイレクトモードを使ってコーディングされ、前記現在のブロックについての前記視差ベクトルを判断することは、前記現在のブロックについての前記視差ベクトルを判断するために隣接ブロックベースの視差ベクトル（ＮＢＤＶ）洗練（ＮＢＤＶ−Ｒ）プロセスを実施することを備え、
前記ＮＢＤＶ−Ｒプロセスは、前記現在のブロックについての前記視差ベクトルを判断するためにＮＢＤＶ導出プロセスを実施することと、前記現在のブロックについての前記視差ベクトルを、前記深度マップ中の対応する深度ブロックにアクセスすることによって洗練することとを備え、前記ＮＢＤＶ導出プロセスは、視差動きベクトルについての隣接ブロックを検査することと、前記視差動きベクトルを、前記現在のブロックについての前記視差ベクトルにコンバートすることとを備え、前記視差動きベクトルは、ビュー間参照ピクチャをポイントする動きベクトルである、
参照ビュー中の参照ブロックを判断するためにビデオデータの前記現在のブロックについての前記視差ベクトルを使うための手段と、
前記現在のブロックの符号化バージョンを生成するために前記参照ブロックを使うための手段と、
を備えるデバイス。
【請求項１２】
ビデオデータを復号するためのデバイスであって、
深度マップへのアクセスが許可されることに基づいて、複数の視差動きベクトルに対して中央値フィルタリングプロセスを使わずに、前記ビデオデータの現在のブロックについてのマクロブロックレベルの視差ベクトルを判断するための手段と、前記現在のブロックは、マクロブロックであり、前記現在のブロックは、Ｐ−Ｓｋｉｐモード、Ｂ−Ｓｋｉｐモード、またはＢ−１６×１６ダイレクトモードのいずれかを使ってコーディングされるか、または、前記現在のブロックは、８×８ブロックであり、前記現在のブロックは、Ｂ−８×８ダイレクトモードを使ってコーディングされ、前記現在のブロックについての前記視差ベクトルを判断することは、前記現在のブロックについての前記視差ベクトルを判断するために隣接ブロックベースの視差ベクトル（ＮＢＤＶ）洗練（ＮＢＤＶ−Ｒ）プロセスを実施することを備え、
前記ＮＢＤＶ−Ｒプロセスは、前記現在のブロックについての前記視差ベクトルを判断するためにＮＢＤＶ導出プロセスを実施することと、前記現在のブロックについての前記視差ベクトルを、前記深度マップ中の対応する深度ブロックにアクセスすることによって洗練することとを備え、前記ＮＢＤＶ導出プロセスは、視差動きベクトルについての隣接ブロックを検査することと、前記視差動きベクトルを、前記現在のブロックについての前記視差ベクトルにコンバートすることとを備え、前記視差動きベクトルは、ビュー間参照ピクチャをポイントする動きベクトルである、
参照ビュー中の参照ブロックを判断するためにビデオデータの前記現在のブロックについての前記視差ベクトルを使うための手段と
前記参照ブロックに基づいて、前記現在のブロックについてのピクセル値を判断するための手段と、
を備えるデバイス。
【請求項１３】
前記方法は、ワイヤレス通信デバイス上で実行可能であり、前記デバイスは、
前記ビデオデータを記憶するように構成されたメモリと、
前記メモリに記憶された前記ビデオデータを処理するための命令を実行するように構成されたプロセッサと、
前記ビデオデータのコード化ピクチャの表現を形成するビットのシーケンスを備えるビットストリームを受信するように構成された受信機と、前記現在のブロックは、前記ビデオデータのコード化ピクチャのブロックである、
請求項１に記載の方法。
【請求項１４】
前記ワイヤレス通信デバイスは、セルラー電話であり、前記ビットストリームは、前記受信機によって受信され、セルラー通信規格に従って変調される、請求項１３に記載の方法。
【請求項１５】
前記デバイスは、ワイヤレス通信デバイスであり、
前記ビデオデータのコード化ピクチャの表現を形成するビットのシーケンスを備えるビットストリームを送信するように構成された送信機、前記現在のブロックは、前記ビデオデータのコード化ピクチャのブロックである、または
前記ビットストリームを受信するように構成された受信機
のうちの少なくとも１つをさらに備える、
請求項７または請求項８に記載のデバイス。
【請求項１６】
前記ワイヤレス通信デバイスは、セルラー電話であり、前記ビットストリームは、前記送信機または受信機によって送信または受信され、セルラー通信規格に従って変調される、請求項１５に記載のデバイス。